(57)【特許請求の範囲】
【請求項１】
靴の甲部及びその周辺を覆う、可撓性のカバー体と、
該カバー体の裏側中央付近と後端縁部との間の所望の部位を該靴の甲部に取り付ける第１の取付具と、
該カバー体の後端縁部の両端部近傍の部位を該靴の踵部に取り付ける第２の取付具と、
該カバー体の一方の側面に設けられる孔部と、
先端が該カバー体の一方の側面裏側から該孔部に挿通され、後端が該カバー体の他方の側面裏側に取り付けられる締付具とを備え、
該締付具の長手方向の長さが、該カバー体の一方の側面側端部から他方の側面側端部までの直線距離よりも短い長さで形成されており、該カバー体を該靴の甲部に載置した際、該締付具が該靴の甲部の上に位置することを特徴とする靴カバー。
【請求項２】
該カバー体は第１及び第２のカバー体から構成されており、
該第１及び第２のカバー体は、それぞれの縁部近傍が上下に重なるように取り付けられることで重複部を形成し、
該重複部には通気孔としての隙間部が形成されていることを特徴とする請求項１に記載の靴カバー。
【請求項３】
該カバー体が透明であることを特徴とする請求項１又は２に記載の靴カバー。
【請求項４】
該第１及び／又は該第２の取付具が弾性素材からなることを特徴とする請求項１乃至３のいずれかに記載の靴カバー。
【請求項５】
該締付具には通気孔が形成されていることを特徴とする請求項１乃至４のいずれかに記載の靴カバー。
【発明の詳細な説明】
【技術分野】
【０００１】
本発明は、主に美容院、理容院において、施術者（美容師、理容師）が使用する靴に髪の毛、ゴミ等が付着することを防止する靴カバーに関する。
【背景技術】
【０００２】
美容院、理容院において、施術者が被施術者（客）の髪の毛をカットした際、施術者の靴には大量の髪の毛が付着する。また、施術者が被施術者にシャンプーやパーマ、カラーリングを施す際には、施術者の靴にシャンプーの濯ぎ水やパーマ液、カラーリング剤が付着することがある。
【０００３】
このため、施術者は、靴の汚れを落とすべく、施術後に靴に付着した髪の毛を払い落し、また、シャンプーの濯ぎ水やパーマ液、カラーリング剤をふき取る必要があった。
【０００４】
そこで、従来、このような靴の汚れを防止するものとして、足の甲部に位置する紐及び紐の挿通孔よりなる紐部を覆うカバー部と、前記カバー部の足首側に連設し、前記カバー部の裏面側に折れ曲り、紐靴の内部にある足の甲部を覆う内部カバーと足の甲部との間又は前記内部カバーと紐の間に差し込む差込部とからなる紐靴カバーや（特許文献１参照）、靴の甲部分を覆うカバー本体と、このカバー本体を靴の甲部分へ装着するための止め付け手段とから成り、前記カバー本体が、その平面形状が靴の甲部分の全体又は少なくとも甲部分における靴紐の編み上げ部分を覆う大きさを有し、前記止め付け手段が、カバー本体の裏面側に設けられ靴紐の編み上げ部分に係止可能な構造を有する靴用カバーが知られている（特許文献２参照）。
【先行技術文献】
【特許文献】
【０００５】
【特許文献１】実用新案登録第３１４６４４１号公報
【特許文献２】特許第２７９１８７３号公報
【発明の概要】
【発明が解決しようとする課題】
【０００６】
しかし、特許文献１に記載されている紐靴カバーは、紐靴カバーの差込部を内部カバーと足の甲部との間に挿入し、内部カバーに引っ掛け、内部カバーと足の甲部で固定することによって、紐靴カバーが紐靴から脱落することを防止するものではあるが、紐靴カバーは、足の甲部にフィット（密着固定）するように装着されるものであることから、靴の通気性を確保することができず、施術者の足の蒸れを防止することができない（施術者は長時間の立ち仕事であることから、足の蒸れによって水虫等が発症するおそれがある）。
【０００７】
また、特許文献２に記載されている靴用カバーは、カバー本体を甲部分の表面よりも若干緩やかに湾曲（甲部分の表面よりも若干緩やかな曲率に設定）させることで、カバー本体と甲部分の表面との間に隙間を設け、靴の通気性を確保するものとしているが、この隙間をあまりに大きくしすぎると（カバー本体の曲率を緩やかにしすぎると）、カバー本体が横方向に位置ずれしてしまうという問題が生じる。したがって、特許文献２に記載されている靴用カバーでは、カバー本体が横方向に位置ずれすることを防止すべく、この隙間の大きさは必然的に小さなものとなることから、靴の通気性を十分に確保することができず、施術者の足の蒸れを防止することができない。
【０００８】
反面、特許文献２に記載されている靴用カバーにおいて、靴の通気性を十分に確保すべく、この隙間を大きくすると、カバー本体が横方向に位置ずれすることから、靴の汚れを防止するという靴用カバーの本来の機能を発揮できないという問題が生じる（すなわち、靴の通気性の確保と横方向への位置ずれ防止という２つの課題を同時に解決することができない）。
【０００９】
そこで、本発明は、上記点に鑑みてなされたものであり、靴カバーを靴に装着した際、靴カバーが前後左右及び上下方向に位置ずれすることを防止するとともに、靴の通気性を十分に確保することができる靴カバーを提供することを目的とするものである。
【課題を解決するための手段】
【００１０】
請求項１の発明に係る靴カバーは、靴の甲部及びその周辺を覆う、可撓性のカバー体と、該カバー体の裏側中央付近と後端縁部との間の所望の部位を該靴の甲部に取り付ける第１の取付具と、該カバー体の後端縁部の両端部近傍の部位を該靴の踵部に取り付ける第２の取付具と、該カバー体の一方の側面に設けられる孔部と、先端が該カバー体の一方の側面裏側から該孔部に挿通され、後端が該カバー体の他方の側面裏側に取り付けられる締付具とを備え、該締付具の長手方向の長さが、該カバー体の一方の側面側端部から他方の側面側端部までの直線距離よりも短い長さで形成されており、該カバー体を該靴の甲部に載置した際、該締付具が該靴の甲部の上に位置することを特徴とする。
【００１１】
請求項２の発明に係る靴カバーは、請求項１に記載の発明に係る靴カバーにおいて、該カバー体は第１及び第２のカバー体から構成されており、該第１及び第２のカバー体は、それぞれの縁部近傍が上下に重なるように取り付けられることで重複部を形成し、該重複部には通気孔としての隙間部が形成されていることを特徴とする。
【００１２】
請求項３の発明に係る靴カバーは、請求項１又は２に記載の発明に係る靴カバーにおいて、該カバー体が透明であることを特徴とする。
【００１３】
請求項４の発明に係る靴カバーは、請求項１乃至３のいずれかに記載の発明に係る靴カバーにおいて、該第１及び／又は該第２の取付具が弾性素材からなることを特徴とする。
【００１４】
請求項５の発明に係る靴カバーは、請求項１乃至４のいずれかに記載の発明に係る靴カバーにおいて、該締付具には通気孔が形成されていることを特徴とする。
【発明の効果】
【００１５】
請求項１に記載の発明は、第１及び第２の取付具により、カバー体の所定の部位を靴の甲部、踵部に取り付けるものとしていることから、靴カバーを靴に装着した際の上下及び前後方向の位置ずれを防止することができる。また、本発明は、先端がカバー体の一方の側面裏側から孔部に挿通され、後端がカバー体の他方の側面裏側に取り付けられる締付具を有することから、靴カバーを靴に装着する際に、この締付具を締め付けることで、靴カバーの左右方向の位置ずれを防止することもできる。さらに、この締付具は、その長手方向の長さが、カバー体の一方の側面側端部から他方の側面側端部までの直線距離よりも短い長さで形成されており、カバー体を靴の甲部に載置した際、靴の甲部の上に位置することから、靴カバーを靴に装着する際にカバー体と靴とが密着することを防止する役割を果たす（カバー体と靴との間に通気孔としての隙間を確保する）。このため、本発明では、靴の通気性を十分に確保した状態のまま靴カバーを靴に装着することができる。
【００１６】
このように、本発明では、第１、第２の取付具及び締付具により、靴カバーの前後左右及び上下方向への位置ずれを防止するとともに、締付具によって、カバー体と靴とが密着することを防止し、靴の通気性を十分に確保することができることから、靴カバーの位置ずれ防止と靴の通気性の確保という２つの課題を同時に解決することができる。
【００１７】
請求項２に記載の発明は、請求項１に記載の発明の構成に加え、第１及び第２のカバー体により形成される重複部に、通気孔としての隙間部が形成されていることから、請求項１に記載の発明の効果に加えて、さらに靴の通気性を確保することができる。
【００１８】
請求項３に記載の発明は、カバー体が透明に形成されていることから、本発明の靴カバーを靴に装着したとしても、靴自体のデザインが損なわれることはない。よって、本発明では、施術者は靴のデザインを気にすることなく、本発明の靴カバーを靴に装着することができる。
【００１９】
請求項４に記載の発明は、第１及び／又は第２の取付具が弾性素材からなることから、請求項１乃至３のいずれかに記載の発明の効果に加えて、さらに安定して靴カバーを靴に装着することができる（靴カバーを靴に装着した際の上下及び前後方向の位置ずれを、より防止することができる）。
【００２０】
請求項５に記載の発明は、締付具に通気孔が形成されていることから、請求項１乃至４のいずれかに記載の発明の効果に加えて、さらに靴の通気性を確保することができる。
【図面の簡単な説明】
【００２１】
【図１】本発明の実施例１に係る靴カバーの平面図である。
【図２】本発明の実施例１に係る靴カバーの底面図である。
【図３】本発明の実施例１に係る靴カバーの右側面図である。
【図４】本発明の実施例１に係る靴カバーの左側面図である。
【図５】本発明の実施例１に係る靴カバーの図１Ａ−Ａ線断面図である。
【図６】本発明の実施例１に係る靴カバーの図１Ｂ−Ｂ線切断部端面図である。
【図７】本発明の実施例１に係る靴カバーの図１Ｃ−Ｃ線切断部端面図である。
【図８】本発明の実施例１に係る靴カバーの図１Ｄ−Ｄ線切断部端面図である。
【図９】本発明の実施例１に係る靴カバーのカバー体と他のカバー体との取付部位（各カバー体の縁部近傍）を拡大した側面図である。
【図１０】本発明の実施例１に係る靴カバーのカバー体を第１の取付具を介して靴の甲部に取り付けている状態を表す斜視図である。
【図１１】本発明の実施例１に係る靴カバーを靴に取り付けた状態を表す斜視図である。
【図１２】本発明の実施例１に係る靴カバーを靴に取り付けた状態を表す右側面図である。
【図１３】本発明の実施例１に係る靴カバーのカバー体の変形例を表す平面図である。
【図１４】本発明の実施例１に係る靴カバーのカバー体の変形例を表す平面図である。
【発明を実施するための形態】
【００２２】
以下、図面を用いて本発明の詳細を説明する。
【実施例１】
【００２３】
まず、図１乃至図９を用いて、本発明の実施例１に係る靴カバー１００の形態について説明する。
【００２４】
図１は本発明の実施例１に係る靴カバーの平面図であり、図２は本発明の実施例１に係る靴カバーの底面図である。図３は本発明の実施例１に係る靴カバーの右側面図であり、図４は本発明の実施例１に係る靴カバーの左側面図である。図５は本発明の実施例１に係る靴カバーの図１Ａ−Ａ線断面図を、図６は本発明の実施例１に係る靴カバーの図１Ｂ−Ｂ線切断部端面図を、図７は本発明の実施例１に係る靴カバーの図１Ｃ−Ｃ線切断部端面図を表す。また、図８は本発明の実施例１に係る靴カバーの図１Ｄ−Ｄ線切断部端面図であり、図９は本発明の実施例１に係る靴カバーのカバー体と他のカバー体との取付部位（各カバー体の縁部近傍）を拡大した側面図である。
【００２５】
図１及び図２に示すように、靴カバー１００は、カバー体１０、第１の取付具３０、第２の取付具４０及び締付具５０を備える。
【００２６】
［カバー体１０］
カバー体１０は、第１から第８のカバー体１０ａ〜１０ｈと帯状部材１０ｉとから構成される。より詳しくは、カバー体１０は、第１から第８のカバー体１０ａ〜１０ｈと帯状部材１０ｉとが相互に組み合わされることにより、平面視略三角おむすび形状からなる１枚のカバー体に形成される。まず、以下に第１から第８のカバー体１０ａ〜１０ｈ及び帯状部材１０ｉの形態について順に説明する。
【００２７】
第１のカバー体１０ａは平面視略半円形状であり、直径の長さは概ね６．６ｃｍ（すなわち曲線（弧）の長さは概ね１０．４ｃｍ）、厚みは概ね０．１ｃｍに形成される。
【００２８】
第２のカバー体１０ｂは平面視略Ｕ字状であり、内周（靴カバー１００の後端側）が第１のカバー体１０ａの曲線の曲率と同じ曲率に形成される。第２のカバー体１０ｂの内周は概ね１０．４ｃｍ、外周（靴カバー１００の先端側）は概ね１６．７ｃｍ、厚みは概ね０．１ｃｍに形成される。また、第２のカバー体１０ｂの内周から外周までの距離（長さ）は概ね２ｃｍに形成される。
【００２９】
第３のカバー体１０ｃは平面視略Ｕ字状であり、内周（靴カバー１００の後端側）が第２のカバー体１０ｂの外周の曲率と同じ曲率に形成される。第３のカバー体１０ｃの内周は概ね１６．７ｃｍ、外周（靴カバー１００の先端側）は概ね２５．２ｃｍ、厚みは概ね０．１ｃｍに形成される。また、第３のカバー体１０ｃの内周から外周までの距離（長さ）は概ね２．７ｃｍに形成される。
【００３０】
第４のカバー体１０ｄは平面視略舌状であり、上辺（靴カバー１００の先端側）及び底辺（靴カバー１００の後端側）が円弧状となるように形成されるとともに、両側辺が底辺から上辺にかけて緩やかに湾曲し、先細りになるよう形成される。なお、第４のカバー体１０ｄの底辺は、第３のカバー体１０ｃの外周の曲率と同じ曲率に形成される。第４のカバー体１０ｄの上辺の長さは概ね３ｃｍ、底辺の長さは概ね７ｃｍ、厚みは概ね０．１ｃｍに形成される。また、第４のカバー体１０ｄの長手方向の長さは概ね８ｃｍに形成される。
【００３１】
第５及び第６のカバー体１０ｅ、１０ｆは平面視略ナイフ形状であり、内側（靴カバー１００の中側）及び外側（靴カバー１００の外側）の各辺が、第４のカバー体１０ｄ側に反り返る格好となっている。なお、このとき、第５及び第６のカバー体１０ｅ、１０ｆの内側及び外側の各辺は、第４のカバー体１０ｄの両側辺の曲率と同じ曲率に形成される。また、第５及び第６のカバー体１０ｅ、１０ｆの底辺（靴カバー１００の後端側）は、第３のカバー体１０ｃの外周の曲率と同じ曲率からなる円弧状に形成される。第５及び第６のカバー体１０ｅ、１０ｆの長手方向の長さは概ね１２ｃｍ、短手方向の長さは概ね１．４ｃｍ、厚みは概ね０．１ｃｍに形成される。
【００３２】
第７及び第８のカバー体１０ｇ、１０ｈは平面視略翼状であり、内側（靴カバー１００の中側）の辺が２段階に湾曲するよう形成されている。なお、第７及び第８のカバー体１０ｇ、１０ｈの内側の辺のうち、第５及び第６のカバー体１０ｅ、１０ｆと接する辺については、第５及び第６のカバー体１０ｅ、１０ｆの外側の辺の曲率と同じ曲率に、第３のカバー体１０ｃと接する辺については、第３のカバー体１０ｃの外周の曲率と同じ曲率に形成される。また、第７及び第８のカバー体１０ｇ、１０ｈの外側（靴カバー１００の外側）の辺は、靴カバー１００の先端側から後端側にかけて、緩やかに湾曲しながら外側に広がる格好となっている（平面視略Ｖ字状となる）。第７及び第８のカバー体１０ｇ、１０ｈの長手方向の長さは概ね１６ｃｍ、短手方向の長さは概ね４ｃｍ、厚みは概ね０．１ｃｍに形成される。
【００３３】
帯状部材１０ｉは平面視略矩形状であり、長手方向の長さは概ね２５ｃｍ、短手方向の長さは概ね０．８ｃｍ、厚みは概ね０．３ｃｍに形成される。
【００３４】
上述のとおり、このような形態からなる第１から第８のカバー体１０ａ〜１０ｈと帯状部材１０ｉは、相互に組み合わされることにより、平面視略三角おむすび形状からなる１枚のカバー体１０を形成する。具体的には、次のとおりである。
【００３５】
図１及び図２に示すように、まず、第１のカバー体１０ａを第２のカバー体１０ｂの内周全長に沿って取り付け、第２のカバー体１０ｂを第３のカバー体１０ｃの内周全長に沿って取り付ける。そして、第４のカバー体１０ｄを第３のカバー体１０ｃの外周の中央付近に沿って取り付けるとともに、第５及び第６のカバー体１０ｅ、１０ｆを第４のカバー体１０ｄの両側辺の全長及び第３のカバー体１０ｃの外周の一部に沿って取り付ける。続いて、第７及び第８のカバー体１０ｇ、１０ｈを第５及び第６のカバー体１０ｅ、１０ｆの外側の辺の全長及び第３のカバー体１０ｃの外周の一部に沿って取り付け、最後に、帯状部材１０ｉを第１のカバー体１０ａ、第２のカバー体１０ｂ、第３のカバー体１０ｃ、第７のカバー体１０ｇ及び第８のカバー体１０ｈの後端縁部（靴カバー１００の後端側）に取り付ける。
【００３６】
このように、第１から第８のカバー体１０ａ〜１０ｈと帯状部材１０ｉを相互に組み合わせる（取り付ける）ことで、平面視略三角おむすび形状からなる１枚のカバー体１０が形成される。
【００３７】
次に、第１から第８のカバー体１０ａ〜１０ｈと帯状部材１０ｉの具体的な取り付け方法について説明する。
【００３８】
図１乃至図５及び図９に示すように、まず、第１のカバー体１０ａの曲線近傍（縁部近傍）と第２のカバー体１０ｂの内周側の縁部近傍とを、上下に重ねることで重複部２０Ａを形成する。このとき、第１のカバー体１０ａを第２のカバー体１０ｂの上に重ねるようにするとよい。後述する通気孔としての隙間部２２の機能を十分に確保するためである。なお、第１のカバー体１０ａの曲線と第２のカバー体１０ｂの内周は、同じ曲率、長さに形成されていることから、重複部２０Ａは、第１のカバー体１０ａの曲線（第２のカバー体１０ｂの内周）の全長に沿って形成されることになる。
【００３９】
そして、重複部２０Ａの複数の箇所を所定の間隔を空けて、上（第１のカバー体１０ａの表面）から下へ押圧することで、第１のカバー体１０ａの曲線近傍（縁部近傍）と第２のカバー体１０ｂの内周側の縁部近傍とを圧着する。このとき、重複部２０Ａが圧着された箇所には、平面視において、略円形状の窪み部２１が形成される。
【００４０】
図９に示すように、この窪み部２１は、重複部２０Ａを上から押圧したことで、第１のカバー体１０ａ（上の面）の一部が下側へ突出した結果、形成されたものであり、第１のカバー体１０ａの曲線近傍（縁部近傍）と第２のカバー体１０ｂの内周側の縁部近傍とを確実に圧着すべく、第２のカバー体１０ｂ（下の面）に押し込まれる格好となっている（第２のカバー体１０ｂ（下の面）は、窪み部２１が押し込まれる分、陥没している）。
【００４１】
また、このように、第１のカバー体１０ａの曲線近傍（縁部近傍）と第２のカバー体１０ｂの内周側の縁部近傍とが、窪み部２１を介して、取り付けられることで、重複部２０Ａには隙間部２２が形成される（図９）。すなわち、第１のカバー体１０ａの曲線近傍（縁部近傍）は、窪み部２１が形成されることによって、第２のカバー体１０ｂの内周側の縁部近傍から、窪み部２１の深さ（高さ）分、上側に持ち上げられる格好となるため、窪み部２１が形成されていない箇所には隙間が生じることになる（つまり、重複部２０Ａに隙間部２２が形成される。この隙間部２２は通気孔としての機能を有する。詳細は後述する）。
【００４２】
次に、第２のカバー体１０ｂの外周側の縁部近傍と第３のカバー体１０ｃの内周側の縁部近傍とを、上下に重ねることで重複部２０Ｂを形成する。このとき、後述する通気孔としての隙間部２２の機能を十分に確保すべく、第２のカバー体１０ｂを第３のカバー体１０ｃの上に重ねるようにするとよい。なお、第２のカバー体１０ｂの外周と第３のカバー体１０ｃの内周は、同じ曲率、長さに形成されていることから、重複部２０Ｂは、第２のカバー体１０ｂの外周（第３のカバー体１０ｃの内周）の全長に沿って形成されることになる。
【００４３】
そして、重複部２０Ｂの複数の箇所を所定の間隔を空けて、上（第２のカバー体１０ｂの表面）から下へ押圧することで、第２のカバー体１０ｂの外周側の縁部近傍と第３のカバー体１０ｃの内周側の縁部近傍とを圧着する。なお、このとき、上述の重複部２０Ａと同様、重複部２０Ｂには、圧着された箇所に平面視において、略円形状の窪み部２１が形成されるとともに、隙間部２２が形成される。
【００４４】
続いて、第３のカバー体１０ｃの外周側の中央付近の縁部近傍と第４のカバー体１０ｄの底辺近傍（縁部近傍）とを、上下に重ねることで重複部２０Ｃ１を形成する。このとき、後述する通気孔としての隙間部２２の機能を十分に確保すべく、第３のカバー体１０ｃを第４のカバー体１０ｄの上に重ねるようにするとよい。なお、第３のカバー体１０ｃの外周と第４のカバー体１０ｄの底辺は、同じ曲率に形成されていることから、重複部２０Ｃ１は、第３のカバー体１０ｃの外周の中央付近（第４のカバー体１０ｄの底辺全長）に沿って形成されることになる。
【００４５】
そして、重複部２０Ｃ１の所定の箇所を、上（第３のカバー体１０ｃの表面）から下へ押圧することで、第３のカバー体１０ｃの外周側の中央付近の縁部近傍と第４のカバー体１０ｄの底辺近傍（縁部近傍）とを圧着する。なお、このとき、上述の重複部２０Ａと同様、重複部２０Ｃ１には、圧着された箇所に平面視において、略円形状の窪み部２１が形成されるとともに、隙間部２２が形成される。
【００４６】
図１及び図２並びに図６乃至図８に示すように、第１から第４のカバー体１０ａ〜１０ｄを相互に取り付けた後、第４のカバー体１０ｄの一方の側辺の縁部近傍と第５のカバー体１０ｅの内側の辺の縁部近傍とを、上下に重ねることで重複部２０Ｄを形成するとともに、第３のカバー体１０ｃの外周側の一部（第３のカバー体１０ｃの外周側中央付近の一方隣）の縁部近傍と第５のカバー体１０ｅの底辺の縁部近傍とを、上下に重ねることで重複部２０Ｃ２を形成する。
【００４７】
また、第４のカバー体１０ｄの他方の側辺の縁部近傍と第６のカバー体１０ｆの内側の辺の縁部近傍とを、上下に重ねることで重複部２０Ｅを形成するとともに、第３のカバー体１０ｃの外周側の一部（第３のカバー体１０ｃの外周側中央付近の他方隣）の縁部近傍と第６のカバー体１０ｆの底辺の縁部近傍とを、上下に重ねることで重複部２０Ｃ３を形成する。
【００４８】
このとき、後述する通気孔としての隙間部２２の機能を十分に確保すべく、第４のカバー体１０ｄ及び第３のカバー体１０ｃを第５及び第６のカバー体１０ｅ、１０ｆの上に重ねるようにするとよい（図６、図７）。なお、第４のカバー体１０ｄの両側辺と第５及び第６のカバー体１０ｅ、１０ｆの内側の辺は、同じ曲率、長さに形成されていることから、重複部２０Ｄ、２０Ｅは、第４のカバー体１０ｄの両側辺の全長（第５及び第６のカバー体１０ｅ、１０ｆの内側の辺全長）に沿って形成されることになる。また、第３のカバー体１０ｃの外周と第５及び第６のカバー体１０ｅ、１０ｆの底辺は、同じ曲率に形成されていることから、重複部２０Ｃ２、２０Ｃ３は、第３のカバー体１０ｃの外周の一部（第５及び第６のカバー体１０ｅ、１０ｆの底辺全長）に沿って形成されることになる。
【００４９】
そして、重複部２０Ｃ２、２０Ｃ３、２０Ｄ及び２０Ｅの所定の箇所を、上（第３のカバー体１０ｃ及び第４のカバー体１０ｄの表面）から下へ押圧することで、第４のカバー体１０ｄの一方の側辺の縁部近傍及び第３のカバー体１０ｃの外周側の一部（第３のカバー体１０ｃの外周側中央付近の一方隣）の縁部近傍を、それぞれ第５のカバー体１０ｅの内側の辺及び底辺の縁部近傍に圧着するとともに、第４のカバー体１０ｄの他方の側辺の縁部近傍及び第３のカバー体１０ｃの外周側の一部（第３のカバー体１０ｃの外周側中央付近の他方隣）の縁部近傍を、それぞれ第６のカバー体１０ｆの内側の辺及び底辺の縁部近傍に圧着するようにする。なお、このとき、上述の重複部２０Ａと同様、重複部２０Ｃ２、２０Ｃ３、２０Ｄ及び２０Ｅには、圧着された箇所に平面視において、略円形状の窪み部２１が形成されるとともに、隙間部２２が形成される。
【００５０】
次に、第５のカバー体１０ｅの外側の辺の縁部近傍及び第３のカバー体１０ｃの外周一端側の縁部近傍を第７のカバー体１０ｇの内側の辺の縁部近傍に重ねることで重複部２０Ｆ、２０Ｃ４を形成する。また、第６のカバー体１０ｆの外側の辺の縁部近傍及び第３のカバー体１０ｃの外周他端側の縁部近傍を第８のカバー体１０ｈの内側の辺の縁部近傍に重ねることで重複部２０Ｇ、２０Ｃ５を形成する。このとき、後述する通気孔としての隙間部２２の機能を十分に確保すべく、第３のカバー体１０ｃ、第５及び第６のカバー体１０ｅ、１０ｆは、第７及び第８のカバー体１０ｇ、１０ｈの上に重ねるようにするとよい（図６乃至図８）。
【００５１】
なお、第７及び第８のカバー体１０ｇ、１０ｈの内側の辺のうち、第５及び第６のカバー体１０ｅ、１０ｆと接する辺は、第５及び第６のカバー体１０ｅ、１０ｆの外側の辺の曲率と同じ曲率に形成されていることから、重複部２０Ｆ、２０Ｇは、第５及び第６のカバー体１０ｅ、１０ｆの外側の辺の全長（第７及び第８のカバー体１０ｇ、１０ｈの内側の辺のうち、第５及び第６のカバー体１０ｅ、１０ｆと接する辺の全長）に沿って形成されることになる。また、第７及び第８のカバー体１０ｇ、１０ｈの内側の辺のうち、第３のカバー体１０ｃと接する辺については、第３のカバー体１０ｃの外周の曲率と同じ曲率に形成されていることから、重複部２０Ｃ４、２０Ｃ５は、第３のカバー体１０ｃの外周両端側の縁部（第７及び第８のカバー体１０ｇ、１０ｈの内側の辺のうち、第３のカバー体１０ｃと接する辺の全長）に沿って形成される。
【００５２】
そして、重複部２０Ｆ、２０Ｇ、２０Ｃ４及び２０Ｃ５の所定の箇所を、上（第３のカバー体１０ｃ、第５及び第６のカバー体１０ｅ、１０ｆの表面）から下へ押圧することで、第５のカバー体１０ｅの外側の辺の縁部近傍及び第３のカバー体１０ｃの外周一端側の縁部近傍を第７のカバー体１０ｇの内側の辺の縁部近傍に圧着するとともに、第６のカバー体１０ｆの外側の辺の縁部近傍及び第３のカバー体１０ｃの外周他端側の縁部近傍を第８のカバー体１０ｈの内側の辺の縁部近傍に圧着するようにする。なお、このとき、上述の重複部２０Ａと同様、重複部２０Ｆ、２０Ｇ、２０Ｃ４及び２０Ｃ５には、圧着された箇所に平面視において、略円形状の窪み部２１が形成されるとともに、隙間部２２が形成される。
【００５３】
最後に、帯状部材１０ｉを第１のカバー体１０ａ、第２のカバー体１０ｂ、第３のカバー体１０ｃ、第７のカバー体１０ｇ及び第８のカバー体１０ｈの後端縁部（靴カバー１００の後端側）に取り付ける。このとき、帯状部材１０ｉは、これらのカバー体１０ａ、１０ｂ、１０ｃ、１０ｇ、１０ｈの後端縁部を包み込むように取り付けるとよい（側面視コ字状となるように取り付ける。図３、図４及び図５）。これにより、これらのカバー体１０ａ、１０ｂ、１０ｃ、１０ｇ、１０ｈの圧着状態を保つことができる。なお、帯状部材１０ｉは、テープ、接着剤等で取り付けることが好ましい。
【００５４】
なお、上述の重複部２０Ａ〜２０Ｇの重なり幅は概ね０．６ｃｍ、窪み部２１の直径は概ね０．２ｃｍ、深さ（高さ）は概ね０．３ｃｍに形成される。
【００５５】
図１及び図３に示すように、カバー体１０の一方の側面（重複部２０Ｆ）には、後述する締付具５０の先端を挿通させるための孔部１１が形成されている。孔部１１は矩形状に形成され、長手方向の長さは概ね１．４ｃｍ、短手方向の長さは概ね０．２ｃｍに形成される。
【００５６】
カバー体１０の縦方向の長さ（靴カバー１００の先端から後端までの直線距離）は概ね１８ｃｍ、横方向の長さ（第７のカバー体１０ｇの外側の辺から第８のカバー体１０ｈの外側の辺までの距離）は、カバー体１０の先端付近で概ね８ｃｍ、カバー体１０の中間付近で概ね１７ｃｍ、カバー体１０の後端付近で概ね２４ｃｍに形成される（カバー体１０は、後端から先端にかけて緩やかに湾曲し、先細りになるよう形成される。すなわち、平面視略三角おむすび形状に形成される）。また、カバー体１０は、例えば、合成樹脂等の可撓性の素材によって形成することができ、全体を透明に形成することもできる。
【００５７】
［第１の取付具３０］
図１及び図２に示すとおり、第１の取付具３０は、紐３０ａとクリップ部３０ｂとから構成される。紐３０ａの一端には、クリップ部３０ｂが取り付けられており、紐３０ａの他端は、カバー体１０の後端縁部（帯状部材１０ｉ）の中央付近に取り付けられている。紐３０ａは、その長さを概ね６ｃｍとし、例えば、ゴム等の弾性素材によって形成することができる。また、クリップ部３０ｂには公知のクリップを用いることができる。
【００５８】
［第２の取付具４０］
図１及び図２に示すとおり、第２の取付具４０は、紐４０ａとクリップ部４０ｂとから構成される。紐４０ａの一端には、クリップ部４０ｂが取り付けられており、紐４０ａの他端は、カバー体１０の後端縁部（帯状部材１０ｉ）の一端に取り付けられている。紐４０ａは、その長さを概ね２８ｃｍとし、例えば、ゴム等の弾性素材によって形成することができる。また、クリップ部４０ｂには公知のクリップを用いることができる。
【００５９】
［締付具５０］
図１乃至図３に示すように、締付具５０は、全体が矩形状であり、先端が略きのこ状に形成される。また、締付具５０には、通気孔５０ａが締付具５０の長手方向に沿って複数形成されている。締付具５０の先端は、カバー体１０の一方の側面（重複部２０Ｆ）裏側から孔部１１に挿通されており、後端はカバー体１０の他方の側面（重複部２０Ｇ）裏側に取り付けられる。
【００６０】
締付具５０の長手方向の長さは概ね１１ｃｍ、短手方向の長さは先端付近で概ね２．６ｃｍ、先端付近以外で概ね１．２ｃｍ、厚みは概ね０．１ｃｍに形成される。このように、締付具５０の長手方向の長さは、カバー体１０の中間付近における横方向の長さ（カバー体１０の一方の側面側端部から他方の側面側端部までの直線距離）よりも短い長さで形成される。また、締付具５０は、このような寸法で形成されることにより、孔部１１から抜け落ちないようになっている。なお、締付具５０は、例えば、合成樹脂等の可撓性の素材によって形成することができ、全体を透明に形成することもできる。
【００６１】
次に、図１０乃至図１２を用いて、本発明の実施例１に係る靴カバー１００の使用方法（靴カバー１００を靴２００に装着する方法）について説明する。
【００６２】
図１０は本発明の実施例１に係る靴カバーのカバー体を第１の取付具を介して靴の甲部に取り付けている状態を表す斜視図であり、図１１は本発明の実施例１に係る靴カバーを靴に取り付けた状態を表す斜視図である。また、図１２は本発明の実施例１に係る靴カバーを靴に取り付けた状態を表す右側面図である。
【００６３】
靴カバー１００を靴２００に装着するには、まず、第１の取付具３０に設けられるクリップ部３０ｂを靴の紐部２００Ｂに取り付けた後、カバー体１０を靴の甲部２００Ａに載置する。このとき、紐３０ａの他端は、カバー体１０の後端縁部（帯状部材１０ｉ）の中央付近に取り付けられていることから、クリップ部３０ｂを靴の紐部２００Ｂに取り付ければ、カバー体１０は自然と靴の甲部及びその周辺を覆うかたちで靴２００に載置されることになる。なお、締付具５０の長手方向の長さは、カバー体１０の中間付近における横方向の長さ（カバー体１０の一方の側面側端部から他方の側面側端部までの直線距離）よりも短い長さで形成されていることから、カバー体１０を靴２００の甲部２００Ａに載置したとしても、締付具５０が障害となって、カバー体１０が靴の甲部２００Ａに密着することはない。
【００６４】
そして、この状態のまま、第２の取付具４０に設けられるクリップ部４０ｂを靴２００の後方（踵部２００Ｃの後ろ側）から回して、カバー体１０の後端縁部（帯状部材１０ｉ）の他端に取り付け、カバー体１０の孔部１１に挿通される締付具５０を外側へ引き、カバー体１０を内側へ絞り込むようにする。
【００６５】
このように、靴カバー１００を靴２００に装着すれば、第１の取付具３０により靴カバー１００の上下方向への位置ずれを防止することができるとともに、第２の取付具４０により靴カバー１００の前後方向への位置ずれを防止することができる。また、締付具５０を外側へ引き、カバー体１０を内側へ絞り込むことで、靴カバー１００により靴２００を両側から締め付けることができることから、靴カバー１００の左右方向への位置ずれを防止することもできる。
【００６６】
さらに、上述したとおり、カバー体１０を靴の甲部２００Ａに載置する際、カバー体１０は、締付具５０が障害となって、靴の甲部２００Ａに密着することはないことから（カバー体１０と靴２００との間に通気孔としての隙間が確保される）、カバー体１０を靴の甲部２００Ａに載置したとしても、靴の通気性を十分に確保することができる（靴が蒸れることを防止することができる）。また、このとき、重複部２０Ａ〜２０Ｇには、通気孔としての隙間部２２が形成されるとともに、締付具５０には、複数の通気孔５０ａが締付具５０の長手方向に沿って形成されていることから、さらに靴の通気性を確保することができる。
【００６７】
なお、靴カバー１００を靴２００から取り外す際には、上記と逆の手順を行えばよい。また、靴カバー１００の形状を左右同形状としておけば、靴の左右に関係なく、靴カバー１００を靴２００に装着することができる。
【００６８】
このように、本発明では、第１、第２の取付具３０、４０及び締付具５０により、靴カバー１００の前後左右及び上下方向への位置ずれを防止するとともに、締付具５０によって、カバー体１０と靴２００とが密着することを防止し、靴の通気性を十分に確保することができることから、靴カバー１００の位置ずれ防止と靴の通気性の確保という２つの課題を同時に解決することができる。
【００６９】
また、本発明は、重複部２０Ａ〜２０Ｇに、通気孔としての隙間部２２が形成されるとともに、締付具５０には、通気孔５０ａが締付具５０の長手方向に沿って複数形成されていることから、さらに靴の通気性を確保することができる。
【００７０】
さらに、本発明は、カバー体１０が透明に形成されていることから、靴カバー１００を靴２００に装着したとしても、靴自体のデザインが損なわれることはなく、施術者は靴のデザインを気にすることなく、靴カバー１００を靴２００に装着することができる。
【００７１】
なお、本実施例では、カバー体１０（第１から第８のカバー体１０ａ〜１０ｈと帯状部材１０ｉ）及び締付具５０の全体の形状、寸法並びに構成等を上述のとおりとしているが、靴カバー１００を装着する靴のサイズやデザイン等を考慮して、これらを別の形状又は異なる寸法等に形成することもできる。例えば、カバー体１０の形状を全体的に角ばった形状（平面視略三角形状等）とすることもできるし、締付具５０の先端の形状を円形状に形成することもできる。また、カバー体１０及び／又は締付具５０を不透明に形成することも可能である（第１から第８のカバー体１０ａ〜１０ｈと帯状部材１０ｉを任意の組み合わせで透明、不透明にすることも可能）。さらに、これらの寸法を大きめ又は小さめに形成することができることは勿論である。
【００７２】
また、本実施例では、第１から第８のカバー体１０ａ〜１０ｈの曲率について、上述のとおりとしているが、各カバー体が組み合わされる際、重複部を形成することができるのであれば、これらの曲率を異なる曲率にて設定することも可能である。
【００７３】
さらに、本実施例では、重複部２０Ａ〜２０Ｇの各重なり具合を上述のとおりとしているが（第１のカバー体１０ａを第２のカバー体１０ｂの上に重ねるようにする等）、通気孔としての隙間部２２の機能（靴の通気性を確保する）が確保できるのであれば、これらの重なり具合は異なっていてもよい。例えば、第２のカバー体１０ｂを第１のカバー体１０ａの上に重ねるようにする等、自由な重ね方が採用できる。
【００７４】
加えて、本実施例では、重複部２０Ａ〜２０Ｇの所定の箇所に平面視において、略円形状の窪み部２１が形成されるものとなっているが、第１から第８のカバー体１０ａ〜１０ｈが相互に圧着されるとともに、隙間部２２が形成されるのであれば、窪み部２１の形状はこれに限られるものではない。例えば、窪み部２１の形状を、平面視において、三角形状、四角形状、星型形状等に形成することも可能である。
【００７５】
また、本実施例では、第１から第８のカバー体１０ａ〜１０ｈを圧着により、相互に取り付けるものとしているが、窪み部２１が形成され、上の面（例えば、第１のカバー体１０ａの表面等の押圧される面。具体的には第１のカバー体１０ａの曲線近傍（縁部近傍））が下の面（例えば、第２のカバー体１０ｂの内周側の縁部近傍）より、窪み部２１の深さ（高さ）分、上側に持ち上げられることで、隙間（隙間部２２）が形成されるのであれば、第１から第８のカバー体１０ａ〜１０ｈの取り付けは、圧着以外の方法であってもよい。例えば、重複部２０Ａ〜２０Ｇの所定の箇所にくぎを打ち込むことで、窪み部２１を形成しつつ、第１から第８のカバー体１０ａ〜１０ｈを相互に取り付けるようにすることもできる。
【００７６】
本実施例では、カバー体１０を第１から第８のカバー体１０ａ〜１０ｈと帯状部材１０ｉとから構成するものとしているが、例えば、カバー体１０を次のように構成（変形）することもできる。
【００７７】
図１３は、本発明の実施例１に係る靴カバーのカバー体の変形例を表す平面図である。
【００７８】
カバー体６０は、第１のカバー体６０ａ及び第２のカバー体６０ｂより構成される。なお、ここでいう、第１のカバー体６０ａ及び第２のカバー体６０ｂは、特許請求の範囲の請求項２に記載の「第１及び第２のカバー体」に相当する。
【００７９】
第１のカバー体６０ａは平面視略半円形状であり、第２のカバー体６０ｂは平面視略Ｕ字状に形成される。第２のカバー体６０ｂの内周（靴カバー３００の後端側）は、第１のカバー体６０ａの曲線の曲率と同じ曲率に形成される。なお、第１のカバー体６０ａの曲線と第２のカバー体６０ｂの内周は同じ長さで形成される。
【００８０】
次に、これら第１のカバー体６０ａ及び第２のカバー体６０ｂの取り付け方法について説明すると、第１のカバー体６０ａの曲線近傍（縁部近傍）と第２のカバー体６０ｂの内周側の縁部近傍とを、上下に重ねることで重複部７０Ａを形成する。このとき、第１のカバー体６０ａを第２のカバー体６０ｂの上に重ねるようにするとよい。通気孔としての隙間部２２の機能を十分に確保するためである（隙間部２２の通気孔としての機能が確保できるのであれば、これらの重なりは逆でもよい）。なお、第１のカバー体６０ａの曲線と第２のカバー体６０ｂの内周は、同じ曲率、長さに形成されていることから、重複部７０Ａは、第１のカバー体６０ａの曲線（第２のカバー体６０ｂの内周）の全長に沿って形成されることになる。
【００８１】
そして、重複部７０Ａの複数の箇所を所定の間隔を空けて、上（第１のカバー体６０ａの表面）から下へ押圧することで、第１のカバー体６０ａの曲線近傍（縁部近傍）と第２のカバー体６０ｂの内周側の縁部近傍とを圧着する。このとき、上述の重複部２０Ａと同様、重複部７０Ａには、圧着された箇所に平面視において、略円形状の窪み部６１が形成されるとともに、隙間部２２が形成される。
【００８２】
また、カバー体１０を１枚のカバー体にて構成（変形）することもできる。
【００８３】
図１４は本発明の実施例１に係る靴カバーのカバー体の変形例を表す平面図であり、カバー体８０が第１のカバー体８０ａのみで構成されている。
【００８４】
このように、カバー体１０をカバー体６０、８０のように変形した場合、本実施例に係る靴カバー１００と比較して、重複部に形成される隙間部の数が減少又はなくなることから、靴の通気性を確保するという機能は減少するものの、依然として、締付具５０によって、カバー体６０、８０と靴２００とが密着することを防止することは可能となっている（靴の通気性を確保することという機能は残されている）。したがって、カバー体１０を、このように変形したとしても、靴カバーの位置ずれ防止と靴の通気性の確保という２つの課題を同時に解決することは可能である。
【００８５】
また、本実施例では、カバー体１０に孔部１１を形成し、締付具５０の先端をカバー体１０の一方の側面（重複部２０Ｆ）裏側から孔部１１に挿通するものとしているが、締付具５０を外側へ引き、カバー体１０を内側へ絞り込むことができるのであれば、カバー体１０に孔部１１を形成せず、締付具５０の先端を、第５のカバー体１０ｅと第７のカバー体１０ｇより形成される重複部２０Ｆの隙間部２２より挿通するようにしてもよい。
【００８６】
さらに、本実施例では、締付具５０に通気孔５０ａを形成するものとしているが、靴の通気性の確保という面よりも、締付具５０の強度を重視するのであれば、締付具５０に通気孔５０ａを形成しないこともできる。
【００８７】
最後に、本実施例では、第１及び第２の取付具３０、４０の取付位置や寸法、構成等を上述のとおりとしているが、第１及び第２の取付具３０、４０により、靴カバー１００の前後及び上下方向への位置ずれを防止することができるのであれば、これらの点については、適宜変更が可能である。例えば、第１の取付具３０の他端をカバー体１０の裏側中央付近（第３のカバー体１０ｃの裏側付近）に取り付けることも可能であり、第２の取付具４０の他端をカバー体１０の後端縁部（帯状部材１０ｉ）の一端裏側に取り付けることもできる。また、第１の取付具３０及び／又は第２の取付具４０を弾性のない紐等で形成することもできる。さらに、第１及び第２の取付具３０、４０は、クリップ部３０ｂを靴の紐部２００Ｂに、クリップ部４０ｂをカバー体１０の後端縁部（帯状部材１０ｉ）の他端に取り付けるものとしているが、例えば、これらの取り付けをテープ等にて行うことも可能である（この場合には、紐３０ａ、紐４０ａの一端には、クリップ部３０ｂ、４０ｂは設けられず、取り付けテープ等が設けられる）。
【００８８】
なお、本実施例に係る靴カバー１００は、施術者（美容師、理容師）以外の者でも使用できることは勿論である。
【００８９】
このように、本実施例では、本発明の趣旨を逸脱しない範囲で種々の変更が可能であることはいうまでもない。
【符号の説明】
【００９０】
１０      カバー体
１０ａ    第１のカバー体
１０ｂ    第２のカバー体
１０ｃ    第３のカバー体
１０ｄ    第４のカバー体
１０ｅ    第５のカバー体
１０ｆ    第６のカバー体
１０ｇ    第７のカバー体
１０ｈ    第８のカバー体
１０ｉ    帯状部材
１１      孔部
２０Ａ〜２０Ｇ  重複部
２１      窪み部
２２      隙間部
３０      第１の取付具
３０ａ    紐
３０ｂ    クリップ部
４０      第２の取付具
４０ａ    紐
４０ｂ    クリップ部
５０      締付具
５０ａ    通気孔
６０      カバー体
６０ａ    第１のカバー体
６０ｂ    第２のカバー体
６１      窪み部
７０Ａ    重複部
８０      カバー体
８０ａ    第１のカバー体
１００    靴カバー
２００    靴
２００Ａ  靴の甲部
２００Ｂ  靴の紐部
２００Ｃ  靴の踵部
３００    靴カバー
４００    靴カバー
【要約】
【課題】靴カバーを靴に装着した際、靴カバーが前後左右及び上下方向に位置ずれすることを防止するとともに、靴の通気性を十分に確保できるようにする。
【解決手段】靴カバー３００を、カバー体６０、第１の取付具３０、第２の取付具４０及び締付具５０とから構成し、カバー体６０は、第１のカバー体６０ａ及び第２のカバー体６０ｂであり、第１のカバー体６０ａ及び第２のカバー体６０ｂのそれぞれの縁部近傍を上下に重ねるように取り付けることで重複部７０Ａを形成し、重複部７０Ａには通気孔としての隙間部２２を形成することで、靴カバー３００を靴２００に装着した際、靴カバー３００が前後左右及び上下方向に位置ずれすることを防止するとともに、靴の通気性を十分に確保する。
【選択図】図１３【図１】
0005720044.tif 000002
【図２】
0005720044.tif 000003
【図３】
0005720044.tif 000004
【図４】
0005720044.tif 000005
【図５】
0005720044.tif 000006
【図６】
0005720044.tif 000007
【図７】
0005720044.tif 000008
【図８】
0005720044.tif 000009
【図９】
0005720044.tif 000010
【図１０】
0005720044.tif 000011
【図１１】
0005720044.tif 000012
【図１２】
0005720044.tif 000013
【図１３】
0005720044.tif 000014
【図１４】
0005720044.tif 000015